(57)【要約】【課題】風荷重による転倒を防止するために必要な基礎を簡単かつ安価に構築でき、太陽電池パネルの設置工事にかかる施工期間を短くでき、施工コストを安くできる太陽電池パネル取付用架台を提供する。【解決手段】本発明に係る太陽電池パネル取付用架台は、太陽電池パネルが取付けられて当該太陽電池パネルを支持する支持部と、当該支持部に連結された基礎４とを備えた太陽電池パネル取付用架台において、前記基礎４が、錘６０を収容可能な上部開口の有底箱体４１と、当該有底箱体４１の上部開口を塞いで有底箱体に固定される蓋体４３とを備え、前記支持部の下端部（支柱３０の下端部）が前記蓋体４３に固定されたことを特徴とする。【選択図】図３
2013204333.tif 000002
【特許請求の範囲】
【請求項１】
太陽電池パネルが取付けられて当該太陽電池パネルを支持する支持部と、当該支持部に連結された基礎とを備えた太陽電池パネル取付用架台において、
前記基礎が、錘を収容可能な上部開口の有底箱体と、当該有底箱体の上部開口を塞いで有底箱体に固定される蓋体とを備え、
前記支持部の下端部が前記蓋体に固定されたことを特徴とする太陽電池パネル取付用架台。
【請求項２】
前記有底箱体の外底面が凹凸を有した形状に形成されたことを特徴とする請求項１に記載の太陽電池パネル取付用架台。
【発明の詳細な説明】
【技術分野】
【０００１】
本発明は、太陽電池パネル取付用架台、特に、架台の基礎に関する。
【背景技術】
【０００２】
太陽電池パネルを建物の屋上や地面等の設置部に設置する場合は、太陽電池パネル取付用架台を用いる。当該太陽電池パネル取付用架台は、基礎と、例えば形鋼を用いたフレーム構造により形成されて基礎と連結された支持体とを備える。当該支持体の上部に設けられた取付部に太陽電池パネルが取付けられる。
【先行技術文献】
【特許文献】
【０００３】
【特許文献１】特開２０１０−９８２４１号公報
【特許文献２】特開２０１１−９１１６６号公報
【発明の概要】
【発明が解決しようとする課題】
【０００４】
従来、風荷重による架台の転倒を防止するために架台の基礎としてコンクリートブロックを用いているが、設置部に当該コンクリートブロックを構築するためには、型枠の設置作業、及び、型枠内への生コンクリートの打設作業が必要となる等、太陽電池パネルの設置工事にかかる施工期間が長くなり、施工コストが高くなるといった問題点があった。
本発明は、風荷重による転倒を防止するために必要な基礎を簡単かつ安価に構築でき、太陽電池パネルの設置工事にかかる施工期間を短くでき、施工コストを安くできる太陽電池パネル取付用架台を提供する。
【課題を解決するための手段】
【０００５】
本発明に係る太陽電池パネル取付用架台は、太陽電池パネルが取付けられて当該太陽電池パネルを支持する支持部と、当該支持部に連結された基礎とを備えた太陽電池パネル取付用架台において、前記基礎が、錘を収容可能な上部開口の有底箱体と、当該有底箱体の上部開口を塞いで有底箱体に固定される蓋体とを備え、前記支持部の下端部が前記蓋体に固定されたので、基礎を簡単かつ安価に構築でき、太陽電池パネルの設置工事にかかる施工期間を短くでき、施工コストを安くできる。
また、前記有底箱体の外底面が凹凸を有した形状に形成されたので、有底箱体の凹凸を有した外底面と地盤との摩擦抵抗が増え、転倒防止効果が向上する。
【図面の簡単な説明】
【０００６】
【図１】太陽電池パネルが架台に取付けられた状態を示す斜視図。
【図２】基礎及び連結部の断面図。
【図３】基礎及び連結部の分解斜視図。
【発明を実施するための形態】
【０００７】
実施形態１
図１に示すように、太陽電池パネル取付用架台１は、太陽電池パネル２が取付けられて当該太陽電池パネル２を支持する支持部３と、支持部３の下端部に連結される基礎４とを備える。
太陽電池パネル２は、例えば、単数または複数の太陽電池モジュールを、専用のアルミ枠等に納めるなどして平板状に形成されたものである。
【０００８】
支持部３は、例えば、Ｈ形鋼等の形鋼を用いたフレーム構造により構成される。支持部３は、上部に太陽電池パネル２を取付けるための図外の取付部を備えるとともに、下部に基礎４と連結するための支持部側連結部を備える。当該支持部側連結部は、例えば、図３に示すように、支持部３の支柱３０を形成するＨ形鋼の下端部の両方のフランジに形成されたボルト通し孔３１により構成される。支持部３の取付部には、例えば、太陽電池パネル２がパネル面２１を傾斜させた状態に取付けられる。例えば、太陽電池パネル２のパネル面２１が南南東〜南東を向くように太陽電池パネル取付用架台１が建物の屋上や地面等の設置部に設置され、かつ、太陽電池パネル２のパネル面２１が水平面に対して３０度（仰角約６０度）程度傾斜するように取付けられる。
【０００９】
図３に示すように、基礎４は、上部開放の有底箱体４１と、有底箱体４１の上部開口４２を塞ぐ蓋体４３とを備える。
有底箱体４１は、例えば、金属、プラスチック、紙等により形成される。尚、有底箱体４１の外面は平面、又は、後述する実施形態２のように凹凸面に形成される。
【００１０】
有底箱体４１の上部開口４２を塞ぐように有底箱体４１と蓋体４３とが連結装置により連結される。当該連結装置は、例えば、図３に示すように、有底箱体４１の上部開口縁の周囲を取り囲むように設けられたフランジ４４と、フランジ４４に設けられたボルト通し孔４５及び蓋体４３に設けられたボルト通し孔４６と、これらボルト通し孔４５；４６に通されるボルト４７と、ボルト通し孔４５；４６に通されたボルト４７に締結されて有底箱体４１と蓋体４３とを連結するナット４８とにより構成される。
【００１１】
蓋体４３は、支持部３の支柱３０の下部と連結するための蓋体側連結部を備える。当該蓋体側連結部は、例えば、図３に示すように、支持部３の支柱３０を形成するＨ形鋼の下端部の両方のフランジを挟み込む間隔を隔てて蓋体４３の上面より立ち上がるように設けられてＨ形鋼の下部の一方方向への動きを規制する一対の規制板５１；５１と、一対の規制板５１；５１にＨ形鋼の下端部の両方のフランジに形成されたボルト通し孔３１と対応するように形成されたボルト通し孔５２とにより構成される。
【００１２】
支持部側連結部と蓋体側連結部とを固定する固定手段は、例えば、図３に示すように、ボルト通し孔５２；３１；３１；５２を貫通するボルト５３と、ボルト通し孔５２；３１；３１；５２を貫通したボルト５３に締結されるナット５４とにより構成される。
【００１３】
太陽電池パネル取付用架台１の構築方法を説明する。
まず、基礎４の有底箱体４１を設置部に設置する。有底箱体４１を設置部としての地盤５５に設置する場合には、例えば図２に示すように、有底箱体４１を地盤５５に埋め込むための孔５６を掘り、有底箱体４１を孔５６内に埋め込めば、有底箱体４１と地盤５５との摩擦抵抗が増え、太陽電池パネル取付用架台１の転倒防止効果が向上するので好ましい。
次に、設置部に設置された有底箱体４１内に砕石６１、砂、水等の錘６０を入れた後、有底箱体４１の上部開口４２を蓋体４３で塞ぎ、有底箱体４１と蓋体４３とを連結装置で連結する。次に、支持部３の支柱３０を形成するＨ形鋼の下端部の支持部側連結部と蓋体の蓋体側連結部とを固定手段で固定する。そして、Ｈ形鋼等の形鋼を組み立てて支持部３を形成することにより、風荷重による太陽電池パネル取付用架台１の転倒を防止するために必要な重量を有した基礎４を備えた太陽電池パネル取付用架台１が構築される。
そして、支持部３の取付部に太陽電池パネル２を取付けることで、太陽電池パネル２が太陽電池パネル取付用架台１を介して設置部に設置される。
【００１４】
太陽電池パネル取付用架台１によれば、有底箱体４１を設置部に設置して有底箱体４１内に錘６０を入れた後に、有底箱体４１の上部開口４２を蓋体４３で塞ぐように有底箱体４１と蓋体４３とを連結装置で連結し、支持部３の支柱３０の下端部と蓋体４３とを固定手段で固定することにより、基礎４を構築できるので、コンクリートブロックの基礎を構築するのに比べて、簡単かつ安価に基礎４を構築でき、太陽電池パネル２の設置工事にかかる施工期間を短くでき、施工コストを安くできる。
【００１５】
実施形態２
図２に示すように、有底箱体４１の外底面４９を凹凸形状に形成することにより、有底箱体４１の凹凸を有した外底面４９と地盤５５との摩擦抵抗が増え、太陽電池パネル取付用架台１の転倒防止効果が向上する。また、有底箱体４１を地盤５５に埋め込むようにして設置する場合においては、有底箱体４１の側面も凹凸形状に形成すれば、有底箱体４１と地盤５５との摩擦抵抗を増やすことができて、太陽電池パネル取付用架台１の転倒防止効果がより向上する。
【００１６】
尚、有底箱体４１と蓋体４３とを連結する連結装置は、有底箱体４１と蓋体４３と固定できる構成であればよい。例えば、金属製の有底箱体４１及び蓋体４３を用いる場合には、有底箱体４１内に錘６０を入れた後に、有底箱体４１の上部開口４２を蓋体４３で塞ぐように蓋体４３を有底箱体４１に溶接して固定してもよい。
また、支持部側連結部、蓋体側連結部、これら支持部側連結部と蓋体側連結部とを固定する固定手段は、支持部の支柱の下端部と蓋体とを固定できる構成であればよい。例えば、金属製の支柱と蓋体４３とを用いる場合には、支柱を蓋体４３に溶接して固定してもよい。
【符号の説明】
【００１７】
１  太陽電池パネル取付用架台、２  太陽電池パネル、３  支持部、４  基礎、
４１  有底箱体、４３  蓋体、６０  錘。
【図１】
2013204333.tif 000003
【図２】
2013204333.tif 000004
【図３】
2013204333.tif 000005